(57)【要約】【課題】  よりユーザーの利便性を向上させる。【解決手段】  パーソナルコンピュータ（ＰＣ）２では、デジタルカメラ１４から画像データを取り込んだ後、またはデジタルカメラ１４内にメモリカード３７が装填されていなかった場合、あるいはメモリカード３７に画像データが存在しなかった場合、確認ウィンドウ４３をモニタ１０の表示画面上に表示して、デジタルカメラ１４との接続を切断するか否かをユーザーに選択させる。確認ウィンドウ４３で「はい」が選択された場合、ＣＰＵ２０は、メモリカード３７へのアクセスをオフライン状態にするアンマウント処理を自動的に行う。アンマウント処理後、ＰＣ２では、許可ウィンドウ４４をモニタ１０の表示画面上に表示して、デジタルカメラ１４との接続を切断することを許可する旨をユーザーに通知する。【選択図】        図７
2005085008.tif 000002
【特許請求の範囲】
【請求項１】
データを記憶した記憶媒体が着脱可能にセットされるリーダと接続し、前記リーダ内の前記記憶媒体にアクセスして、前記記憶媒体からコンピュータに前記データを取り込むデータ取り込み方法において、
前記データの取り込み後、前記記憶媒体へのアクセスをオフライン状態にするアンマウント処理を自動的に行い、
前記アンマウント処理後に、前記リーダとの接続を切断することを許可する旨を通知することを特徴とするデータ取り込み方法。
【請求項２】
前記アンマウント処理前に、前記リーダとの接続を切断するか否かを通知することを特徴とする請求項１に記載のデータ取り込み方法。
【請求項３】
前記記憶媒体は、デジタルカメラに装填されるメモリカードであり、前記データは、前記デジタルカメラで撮影した画像データであり、前記リーダは、前記デジタルカメラ、またはカードリーダであることを特徴とする請求項１または２に記載のデータ取り込み方法。
【請求項４】
前記コンピュータのモニタの表示画面上にメッセージを表示することにより、前記通知を行うことを特徴とする請求項１ないし３のいずれかに記載のデータ取り込み方法。
【請求項５】
データを記憶した記憶媒体が着脱可能にセットされるリーダと接続し、前記リーダ内の前記記憶媒体にアクセスして、前記記憶媒体からコンピュータに前記データを取り込むデータ取り込み装置において、
前記データの取り込み後、前記記憶媒体へのアクセスをオフライン状態にするアンマウント処理を自動的に行う制御手段と、
前記アンマウント処理後に、前記リーダとの接続を切断することを許可する旨を通知する通知手段とを備えたことを特徴とするデータ取り込み装置。
【請求項６】
前記通知手段は、前記アンマウント処理前に、前記リーダとの接続を切断するか否かを通知することを特徴とする請求項５に記載のデータ取り込み装置。
【請求項７】
前記記憶媒体は、デジタルカメラに装填されるメモリカードであり、前記データは、前記デジタルカメラで撮影した画像データであり、前記リーダは、前記デジタルカメラ、またはカードリーダであることを特徴とする請求項５または６に記載のデータ取り込み装置。
【請求項８】
前記通知手段は、前記コンピュータのモニタの表示画面上にメッセージを表示することにより、前記通知を行うことを特徴とする請求項５ないし７のいずれかに記載のデータ取り込み装置。
【請求項９】
データを記憶した記憶媒体が着脱可能にセットされるリーダと接続し、前記リーダ内の前記記憶媒体にアクセスして、前記記憶媒体からコンピュータに前記データを取り込ませるためのデータ取り込みプログラムにおいて、
前記データの取り込み後、前記記憶媒体へのアクセスをオフライン状態にするアンマウント処理を自動的に行うステップと、
前記アンマウント処理後に、前記リーダとの接続を切断することを許可する旨を通知するステップとを前記コンピュータに実行させることを特徴とするデータ取り込みプログラム。
【請求項１０】
前記アンマウント処理前に、前記リーダとの接続を切断するか否かを通知するステップを前記コンピュータに実行させることを特徴とする請求項９に記載のデータ取り込みプログラム。
【請求項１１】
前記記憶媒体は、デジタルカメラに装填されるメモリカードであり、前記データは、前記デジタルカメラで撮影した画像データであり、前記リーダは、前記デジタルカメラ、またはカードリーダであることを特徴とする請求項９または１０に記載のデータ取り込みプログラム。
【請求項１２】
前記コンピュータのモニタの表示画面上にメッセージを表示することにより、前記通知を行わせることを特徴とする請求項９ないし１１のいずれかに記載のデータ取り込みプログラム。
【発明の詳細な説明】
【技術分野】
【０００１】
本発明は、カードリーダなどから画像データなどをコンピュータに取り込むためのデータ取り込み方法および装置、並びにデータ取り込みプログラムに関する。
【背景技術】
【０００２】
デジタルカメラの急速な普及に伴い、デジタルカメラで撮影した画像をパーソナルコンピュータ（ＰＣ）に取り込んだり、プリンタでプリントアウトして鑑賞するユーザーが増加している。
【０００３】
上記のようなユーザーの利便性を高めるために、デジタルカメラから取り込んだ画像データを自動的に印刷する画像印刷装置が提案されている（特許文献１参照）。この画像印刷装置によれば、デジタルカメラで撮影した画像の内容が一見して分かるインデックスプリントや、連続印刷を容易に行うことができる。
【０００４】
【特許文献１】特開２００３−６１０４０号公報
【発明の開示】
【発明が解決しようとする課題】
【０００５】
ところで、従来は、デジタルカメラ自体、あるいはメモリカードを装填するスロットを備えた専用のカードリーダをＰＣに接続し、メモリカードから画像データを取り込んだ後、メモリカードへのアクセスをオフライン状態にするアンマウント処理を、ＰＣのモニタの表示画面上に表示されるメモリカードやカードリーダを表すアイコンをゴミ箱のアイコンに捨てるなどして、ユーザーが手動で行っていたため、煩わしいという問題があった。また、いつデジタルカメラやカードリーダとの接続を切断してよいかが分からないので、ＰＣの初心者にとって使い勝手のよいものであるとは言い難かった。
【０００６】
本発明は、上記課題を鑑みてなされたものであり、よりユーザーの利便性を向上させることができるデータ取り込み方法および装置、並びにデータ取り込みプログラムを提供することを目的とする。
【課題を解決するための手段】
【０００７】
上記目的を達成するために、請求項１に記載の発明は、データを記憶した記憶媒体が着脱可能にセットされるリーダと接続し、前記リーダ内の前記記憶媒体にアクセスして、前記記憶媒体からコンピュータに前記データを取り込むデータ取り込み方法において、前記データの取り込み後、前記記憶媒体へのアクセスをオフライン状態にするアンマウント処理を自動的に行い、前記アンマウント処理後に、前記リーダとの接続を切断することを許可する旨を通知することを特徴とする。
【０００８】
なお、前記アンマウント処理前に、前記リーダとの接続を切断するか否かを通知することが好ましい。また、前記記憶媒体は、デジタルカメラに装填されるメモリカードであり、前記データは、前記デジタルカメラで撮影した画像データであり、前記リーダは、前記デジタルカメラ、またはカードリーダであることが好ましい。さらに、前記コンピュータのモニタの表示画面上にメッセージを表示することにより、前記通知を行うことが好ましい。
【０００９】
請求項５に記載の発明は、データを記憶した記憶媒体が着脱可能にセットされるリーダと接続し、前記リーダ内の前記記憶媒体にアクセスして、前記記憶媒体からコンピュータに前記データを取り込むデータ取り込み装置において、前記データの取り込み後、前記記憶媒体へのアクセスをオフライン状態にするアンマウント処理を自動的に行う制御手段と、前記アンマウント処理後に、前記リーダとの接続を切断することを許可する旨を通知する通知手段とを備えたことを特徴とする。
【００１０】
なお、前記通知手段は、前記アンマウント処理前に、前記リーダとの接続を切断するか否かを通知することが好ましい。また、前記記憶媒体は、デジタルカメラに装填されるメモリカードであり、前記データは、前記デジタルカメラで撮影した画像データであり、前記リーダは、前記デジタルカメラ、またはカードリーダであることが好ましい。さらに、前記通知手段は、前記コンピュータのモニタの表示画面上にメッセージを表示することにより、前記通知を行うことが好ましい。
【００１１】
請求項９に記載の発明は、データを記憶した記憶媒体が着脱可能にセットされるリーダと接続し、前記リーダ内の前記記憶媒体にアクセスして、前記記憶媒体からコンピュータに前記データを取り込ませるためのデータ取り込みプログラムにおいて、前記データの取り込み後、前記記憶媒体へのアクセスをオフライン状態にするアンマウント処理を自動的に行うステップと、前記アンマウント処理後に、前記リーダとの接続を切断することを許可する旨を通知するステップとを前記コンピュータに実行させることを特徴とする。
【００１２】
なお、前記アンマウント処理前に、前記リーダとの接続を切断するか否かを通知するステップを前記コンピュータに実行させることが好ましい。また、前記記憶媒体は、デジタルカメラに装填されるメモリカードであり、前記データは、前記デジタルカメラで撮影した画像データであり、前記リーダは、前記デジタルカメラ、またはカードリーダであることが好ましい。さらに、前記コンピュータのモニタの表示画面上にメッセージを表示することにより、前記通知を行わせることが好ましい。
【発明の効果】
【００１３】
本発明のデータ取り込み方法および装置、並びにデータ取り込みプログラムによれば、データの取り込み後、記憶媒体へのアクセスをオフライン状態にするアンマウント処理を自動的に行い、アンマウント処理後に、リーダとの接続を切断することを許可する旨を通知するので、よりユーザーの利便性を向上させることができる。
【発明を実施するための最良の形態】
【００１４】
図１において、本発明を適用したパーソナルコンピュータ（ＰＣ）２は、モニタ１０、キーボード１１、およびマウス１２を備え、ＵＳＢ（Universal Serial Bas）ケーブル１３を介して、デジタルカメラ１４が接続可能となっている。
【００１５】
図２に示すように、ＰＣ２は、ＣＰＵ２０により全体の動作を統括的に制御される。ＣＰＵ２０は、バス２１を介してＲＡＭ２２、ＲＯＭ２３、および入出力Ｉ／Ｆ２４に接続している。ＲＯＭ２３には、ＰＣ２の起動時に必要なプログラムや、デジタルカメラ１４で撮影した画像を自動的に取り込むためのデータ取り込みプログラム２５がインストールされている。ＲＡＭ２２には、取り込まれた画像データが記録される。入出力Ｉ／Ｆ２４には、前述のモニタ１０、キーボード１１、およびマウス１２の他に、ＵＳＢケーブル１３が取り付けられるＵＳＢコネクタ２６が接続されている。
【００１６】
図３において、デジタルカメラ１４は、撮像部３０、信号処理部３１、およびシステムコントローラ３２などから構成される。撮像部３０は、図示しない撮像レンズやＣＣＤイメージセンサからなり、撮影レンズから入射する被写体光がＣＣＤイメージセンサで撮像信号に変換される。信号処理部３１は、撮像部３０から出力された撮像信号に対して、Ａ／Ｄ変換処理などの各種信号処理を施し、デジタルの画像データに変換してシステムコントローラ３２に送信する。
【００１７】
システムコントローラ３２は、信号処理部３１から送信されたデジタルの画像データに対して、階調変換、ホワイトバランス補正、γ補正処理などの各種画像処理を施す。このシステムコントローラ３２には、ＲＡＭ３３、ＲＯＭ３４、操作部３５、液晶表示器（ＬＣＤ）３６、メモリカード３７、およびＵＳＢコネクタ３８が接続されている。
【００１８】
ＲＯＭ３４には、各種制御用のプログラムや設定情報などが記録されている。システムコントローラ３２は、これらの情報をＲＯＭ３４から作業用メモリであるＲＡＭ３３に読み出して各種処理を実行する。ＲＡＭ３３は、上記作業用メモリの他に、信号処理部３１から出力されたデジタルの画像データを一旦格納するバッファメモリとしても機能する。
【００１９】
操作部３５は、デジタルカメラ１４の電源のオン／オフ切り替えを行う電源スイッチや、シャッタレリーズの際に操作されるレリーズボタン、撮像レンズのズーム倍率を変更するズーム操作スイッチ、ＬＣＤ３６にメニュー画面を表示させるメニューボタン、メニュー画面内でカーソルを移動させるカーソル操作ボタン、選択内容を決定する際に操作される決定ボタンなどを含む。システムコントローラ３２は、この操作部３５の操作に連動して、デジタルカメラ１４の各部の動作を制御する。
【００２０】
ＬＣＤ３６には、撮影した画像やいわゆるスルー画像、各種メニュー画面が表示される。メモリカード３７は、システムコントローラ３２で各種画像処理が施され、所定の圧縮形式（例えばＪＰＥＧ形式）で圧縮された画像データを記録する。
【００２１】
システムコントローラ３２は、メモリカード３７に画像データが記録される毎に、その画像データに固有のファイル名（撮影した順番に連続した通し番号）、例えば「ＤＳＣＦ０００１. ＪＰＧ」、「ＤＳＣＦ０００２. ＪＰＧ」、・・・を付与する（図４参照）。そして、これらを同一のフォルダに格納する。なお、ファイル名の拡張子「. ＪＰＧ」は、ＪＰＥＧ形式で圧縮した画像データであることを表す。また、動画像データが記録される場合は、これに付随する音声データ（拡張子「. ＡＶＩ」）も、画像データに関連付けて記録される。
【００２２】
ＵＳＢコネクタ３８は、ＵＳＢケーブル１３に接続され、メモリカード３７に記録された画像データをＰＣ２に送信する。ＰＣ２は、このＵＳＢコネクタ３８、ＵＳＢケーブル１３、およびＵＳＢコネクタ２６を介して、メモリカード３７に記録された画像データをＲＡＭ２２に自動的に取り込む。
【００２３】
図４に示すように、ＰＣ２のＲＡＭ２２に取り込まれた画像データは、同一のフォルダ４０内でファイル名順に並べられ、いわゆるサムネイル画像４１としてモニタ１０の表示画面上に表示される。このサムネイル画像４１にカーソル４２を合わせ、マウス１２をダブルクリックすると、レビュー画像がモニタ１０の表示画面上に表示される。
【００２４】
ＵＳＢコネクタ２６でデジタルカメラ１４が接続されたことを検知すると、データ取り込みプログラム２５が起動する。データ取り込みプログラム２５の起動後、ＣＰＵ２０は、メモリカード３７へのアクセスを可能とするマウント処理を行い、デジタルカメラ１４内にメモリカード３７が装填されているか否かを検出する。
【００２５】
デジタルカメラ１４内にメモリカード３７が装填されていた場合、ＣＰＵ２０は、メモリカード３７に画像データが存在するか否かを検出する。メモリカード３７に画像データが存在していた場合は、前述のように、ＲＡＭ２２に画像データを自動的に取り込む。
【００２６】
画像データの取り込み後、またはデジタルカメラ１４内にメモリカード３７が装填されていなかった場合、あるいはメモリカード３７に画像データが存在しなかった場合、ＰＣ２では、図５に示すような確認ウィンドウ４３をモニタ１０の表示画面上に表示して、デジタルカメラ１４との接続を切断するか否かをユーザーに選択させる。
【００２７】
確認ウィンドウ４３で「はい」が選択された場合、ＣＰＵ２０は、メモリカード３７へのアクセスをオフライン状態にするアンマウント処理を自動的に行う。アンマウント処理後、ＰＣ２では、図６に示すような許可ウィンドウ４４をモニタ１０の表示画面上に表示して、デジタルカメラ１４との接続を切断することを許可する旨をユーザーに通知する。一方、確認ウィンドウ４３で「いいえ」が選択された場合、ＣＰＵ２０はアンマウント処理を行わず、メモリカード３７へのアクセスを継続する。
【００２８】
次に、上記実施形態による作用について、図７のフローチャートを参照して説明する。まず、ＵＳＢケーブル１３を介してＰＣ２とデジタルカメラ１４とが接続され、デジタルカメラ１４の電源が投入されて、ＵＳＢコネクタ２６でデジタルカメラ１４が接続されたことが検知されると、データ取り込みプログラム２５が起動される。
【００２９】
データ取り込みプログラム２５の起動後、ＣＰＵ２０により、メモリカード３７へのアクセスを可能とするマウント処理が行われ、デジタルカメラ１４内にメモリカード３７が装填されているか否かが検出される。
【００３０】
デジタルカメラ１４内にメモリカード３７が装填されていた場合、メモリカード３７に画像データが存在するか否かが検出される。メモリカード３７に画像データが存在していた場合は、ＲＡＭ２２に画像データが自動的に取り込まれる。
【００３１】
画像データの取り込み後、またはデジタルカメラ１４内にメモリカード３７が装填されていなかった場合、あるいはメモリカード３７に画像データが存在しなかった場合、確認ウィンドウ４３がモニタ１０の表示画面上に表示され、デジタルカメラ１４との接続を切断するか否かがユーザーに通知される。
【００３２】
確認ウィンドウ４３で「はい」が選択された場合、ＣＰＵ２０により、メモリカード３７へのアクセスをオフライン状態にするアンマウント処理が自動的に行われる。アンマウント処理後、許可ウィンドウ４４がモニタ１０の表示画面上に表示され、デジタルカメラ１４との接続を切断することを許可する旨がユーザーに通知される。一方、確認ウィンドウ４３で「いいえ」が選択された場合、アンマウント処理は行われず、メモリカード３７へのアクセスは継続される。
【００３３】
上記のような構成であると、ユーザーはモニタ１０の表示画面上に表示される確認ウィンドウ４３、許可ウィンドウ４４の指示に従ってデジタルカメラ１４を取り外せばよいので、デジタルカメラ１４からＰＣ２への画像データの取り込みを滞りなく安全に終了させることができる。また、確認ウィンドウ４３で「いいえ」を選択すると、メモリカード３７へのアクセスが継続されるので、ユーザーが独自にデータの書き込みや読み出しを行いたい場合に対応することができる。
【００３４】
なお、確認ウィンドウ４３をモニタ１０の表示画面上に表示せずに、画像データの取り込み後直ちにアンマウント処理を行ってもよい。また、上記実施形態では、デジタルカメラ１４からＰＣ２に画像データを取り込む例を挙げて説明したが、本発明はこれに限定されず、例えば専用のカードリーダから写真プリンタに画像データを取り込む場合についても適用することができる。さらに、取り込むデータは画像データに限らず、文字情報がテキスト化されたテキストデータや音声データであってもよい。
【００３５】
上記実施形態では、メモリカードが１枚の場合を例示したが、複数であってもよい。この場合、複数のメモリカードにアクセスして、各メモリカードから画像データを取り込んだ後、複数のメモリカード全てについてアンマウント処理を行う。なお、複数のメモリカードは、同一種類であっても異なる種類であってもよい。メモリカードの種類としては、ｘＤ−ピクチャーカード、ＳＤカード、スマートメディア、コンパクトフラッシュ（登録商標）、メモリスティック（いずれも商品名）などが挙げられる。また、記憶媒体としてはメモリカードに限らず、例えばＣＤ−Ｒやハードディスクなどの他の記憶媒体からデータを取り込む場合も、本発明は有効である。
【図面の簡単な説明】
【００３６】
【図１】本発明を適用したパーソナルコンピュータにデジタルカメラを接続した状態を示す図である。
【図２】パーソナルコンピュータの電気的構成を示すブロック図である。
【図３】デジタルカメラの電気的構成を示すブロック図である。
【図４】取り込んだ画像データが格納されたフォルダの内容を示す説明図である。
【図５】確認ウィンドウを示す説明図である。
【図６】許可ウィンドウを示す説明図である。
【図７】パーソナルコンピュータにおけるデータ処理の一連の流れを示すフローチャートである。
【符号の説明】
【００３７】
２  パーソナルコンピュータ（ＰＣ）
１０  モニタ
１３  ＵＳＢケーブル
１４  デジタルカメラ
２０  ＣＰＵ
２２  ＲＡＭ
２３  ＲＯＭ
２４  入出力Ｉ／Ｆ
２５  データ取り込みプログラム
２６  ＵＳＢコネクタ
３０  撮像部
３２  システムコントローラ
３３  ＲＡＭ
３４  ＲＯＭ
３６  液晶表示器（ＬＣＤ）
３７  メモリカード
３８  ＵＳＢコネクタ
４０  フォルダ
４３  確認ウィンドウ
４４  許可ウィンドウ
【図１】
2005085008.tif 000003
【図２】
2005085008.tif 000004
【図３】
2005085008.tif 000005
【図４】
2005085008.tif 000006
【図５】
2005085008.tif 000007
【図６】
2005085008.tif 000008
【図７】
2005085008.tif 000009